(57)【特許請求の範囲】
【請求項１】
建物の室内側で室内側床材を支える室内側梁部材における室内側梁部材上面よりも上下方向において低い外側梁部材上面を有すると共に、当該外側梁部材上面より低い位置に支持アングルが設けられた外側梁部材と、
前記支持アングル上に載置されると共に、上面の位置が前記外側梁部材上面と略同一又は前記外側梁部材上面以下に設定された外側床材と、
前記外側床材及び前記外側梁部材の双方の上に配置される断熱材と、
前記断熱材における前記室内側の端部の側方で前記外側床材上に立設され、前記断熱材の上下方向の厚みよりも上下方向に長い防水壁と、
前記断熱材の上面を覆って更に前記防水壁を覆う防水シートと、
を備える外部床構造。
【請求項２】
前記室内側床材の室外側に設けられたフラットレベルサッシを下方から支持する支持体に前記防水壁の上端側を固定したことを特徴とする請求項１に記載の外部床構造。
【請求項３】
前記外側梁部材の側方に外側床材を配置して前記外側梁部材に前記外側床材を支持させることを特徴とする請求項１又は請求項２の何れか１項に記載の外部床構造。
【請求項４】
前記防水壁の上端部が前記室内側床材の上面と略同一高さ、又は、当該上面よりも下側に位置した状態で前記室内側床材に直接又は間接的に連結されることを特徴とする請求項１から請求項３の何れか１項に記載の外部床構造。
【請求項５】
高さ寸法が前記外側梁部材の梁成より大きく前記室内側梁部材の梁成以下とされて前記室内側梁部材の所定部位に一体的に連結される室内側連結部と、  高さ寸法が前記外側梁部材の梁成以下とされて前記外側梁部材の所定部位に一体的に連結される外側連結部と、  を有する略Ｌ字形状の連結部材を備えることを特徴とする請求項１から請求項４の何れか１項に記載の外部床構造。
【請求項６】
上方から下方へ水の通過が可能で前記外部床材上に配置されると共に、上面が前記室内側床材上面と同じ位置に設定されたデッキ材を備えることを特徴とする請求項１から請求項５の何れか１項に記載の外部床構造。
【発明の詳細な説明】
【技術分野】
【０００１】
本発明は、バルコニーやベランダ等の建物の外部床構造に関する。
【背景技術】
【０００２】
住宅のベランダやバルコニーと室内との間には防水のために「またぎ」が設けられる。その一方で、近年のバリアフリーの要請の観点から、このような「またぎ」をなくすことが求められている。
【０００３】
例えば、バルコニーの床面の周縁に防水立ち上がり壁を設ける構造では、防水立ち上がり壁の掃き出し窓に対応した部分は「またぎ」になる。そこで、掃き出し窓に対応した部分で防水立ち上がり壁を切り欠き、これにより、掃き出し窓に対応した部分において、それ以外の部分よりも防水立ち上がり壁を低くすることで「またぎ」を低くする構造が下記特許文献１に開示されている。
【特許文献１】特開２０００−６４４１５公報
【発明の開示】
【発明が解決しようとする課題】
【０００４】
しかしながら、特許文献１に開示された構造では、掃き出し窓に対応した部分で防水立ち上がり壁を切り欠いて低くすることで、防水面で欠陥が生じやすい。
【０００５】
本発明は、上記事実を考慮して、防水性を維持又は向上しつつ「またぎ」を抑制又は解消できる外部床構造を得ることが目的である。
【課題を解決するための手段】
【０００６】
請求項１に記載の本発明に係る外部床構造は、建物の室内側で室内側床材を支える室内側梁部材における室内側梁部材上面よりも上下方向において低い外側梁部材上面を有すると共に、当該外側梁部材上面より低い位置に支持アングルが設けられた外側梁部材と、前記支持アングル上に載置されると共に、上面の位置が前記外側梁部材上面と略同一又は前記外側梁部材上面以下に設定された外側床材と、前記外側床材及び前記外側梁部材の双方の上に配置される断熱材と、前記断熱材における前記室内側の端部の側方で前記外側床材上に立設され、前記断熱材の上下方向の厚みよりも上下方向に長い防水壁と、前記断熱材の上面を覆って更に前記防水壁を覆う防水シートと、を備えている。
【０００７】
請求項１に記載の本発明に係る外部床構造によれば、外側梁部材における外側梁部材上面は建物の室内側で室内側床材を支える室内側梁部材における室内側梁部材上面よりも上下方向において低い。さらに、この外側梁部材上面よりも低い位置では外側梁部材に支持アングルが設けられており、この支持アングル上に外側床材が載置される。支持アングル上に載置された外側床材は、上面の位置が外側梁部材上面と略同一又は前記外側梁部材上面以下に設定される。
このため、本発明では、外側床材の上面を室内側梁部材に支えられる室内側床材の上面よりも低く設定できる。これにより、外側床材上を流れる水の位置が、室内側床材の上面よりも充分に下側になる。このため、外側床材上を流れる水の室内側床材上へのオーバーフローが防止又は極めて効果的に軽減される。
【０００８】
さらに、上記のように、外側梁部材上面を室内側梁部材上面よりも低く設定することで、外側床材の上面を室内側床材の上面よりも低く設定できるため、仮に、外側床材の外周部に対応して外側床材上に防水壁を設けた際に、外側床材の上面よりも防水壁の上端部を大きく突出させなくても、防水壁の高さを充分に確保できる。このため、防水壁の上端が室内側床材の上面よりも大きく突出することにより生じる「またぎ」が解消、又は、抑制される。
請求項２に記載の本発明に係る外部床構造は、請求項１に記載の本発明において、前記室内側床材の室外側に設けられたフラットレベルサッシを下方から支持する支持体に前記防水壁の上端側を固定したことを特徴としている。
請求項２に記載の本発明に係る外部床構造では、室内側床材の室外側に設けられたフラットレベルサッシが支持体によって下方から支持される。さらに、この支持体に防水壁の上端側が固定される。
【００１３】
請求項３に記載の本発明に係る外部床構造は、請求項１又は請求項２に記載の本発明において、前記外側梁部材の側方に外側床材を配置して前記外側梁部材に前記外側床材を支持させることを特徴としている。
【００１４】
請求項３に記載の本発明に係る外部床構造では、外側梁部材の側方に配置された外側床材が外側梁部材に支持されるため、外側梁部材上に外側床材を配置する構成に比べて外側床材の上面の位置を更に低く設定できる。これにより、室内側床材の上面よりも更に低い位置に外側床材の上面を設定でき、室内側床材上への水のオーバーフローが更に効果的に防止又は抑制できる。
【００１５】
さらに、防水壁を設けた際に、外側床材の上面よりも防水壁の上端部を大きく突出させなくても、防水壁の高さを充分に確保できる。このため、上記のように外側床材の上面の位置を更に低く設定できるため、防水壁の高さを更に充分に確保できる。このため、防水壁の上端が室内側床材の上面よりも大きく突出することにより生じる「またぎ」がより一層効果的に解消、又は、抑制される。
【００１６】
請求項４に記載の本発明に係る外部床構造は、請求項１から請求項３の何れか１項に記載の本発明において、前記防水壁の上端部が前記室内側床材の上面と略同一高さ、又は、当該上面よりも下側に位置した状態で前記室内側床材に直接又は間接的に連結されることを特徴としている。
【００１７】
請求項４に記載の本発明に係る外部床構造によれば、外側床材上に設けられる防水壁の上端部が室内側床材の上面と略同一高さ、又は、この上面よりも下側で室内側床材に連結されるが、上記のように、外側床材の上面が室内側床材の上面よりも低く設定されるため、室内側へ水が流れ込むのを防止するための防水壁の高さを確保できる。しかも、防水壁の上端部が室内側床材の上面と等位置、又は、この上面よりも下側で室内側床材に連結されるため、防水壁は室内側床材の上面よりも上方へ突出しない。これにより、「またぎ」が解消される。
【００１８】
請求項５に記載の本発明に係る外部床構造は、請求項１から請求項４の何れか１項に記載の本発明において、高さ寸法が前記外側梁部材の梁成より大きく前記室内側梁部材の梁成以下とされて前記室内側梁部材の所定部位に一体的に連結される室内側連結部と、高さ寸法が前記外側梁部材の梁成以下とされて前記外側梁部材の所定部位に一体的に連結される外側連結部と、を有する略Ｌ字形状の連結部材を備えることを特徴としている。
【００１９】
請求項５に記載の本発明に係る外部床構造によれば、所定の端部の少なくとも一部が水平方向に室内側梁部材と対向した外側梁部材は、所定部位に連結部材の外側連結部が一体的に連結される。さらに、連結部材の室内側連結部は室内側梁部材の所定部位に一体的に連結され、これにより、連結部材を介して室内側梁部材に外側梁部材が一体的に連結される。
【００２０】
ここで、連結部材は、室内側連結部の高さ寸法が外側梁部材の梁成より大きく室内側梁部材の梁成以下に設定され、外側梁部材の高さ寸法が外側梁部材の梁成以下に設定されることで全体的に略Ｌ字形状となる。これにより、外側梁部材の外側連結部との連結部分の高さ寸法が、室内側梁部材の梁成寸法より小さくても外側梁部材に外側連結部を連結できる。
【００２１】
請求項６に記載の本発明に係る外部床構造は、請求項１から請求項５の何れか１項に記載の本発明において、上方から下方へ水の通過が可能で前記外部床材上に配置されると共に、上面が前記室内側床材の上面と同じ位置に設定されたデッキ材を備えることを特徴としている。
【００２２】
請求項６に記載の本発明に係る外部床構造によれば、外側床材上にデッキ材が配置されるが、デッキ材は上方から下方へ水が通過できるため、デッキ材の上の水は外側床材上に落下する。したがって、デッキ材上を水が流れて室内側へ浸入することが防止又は極めて効果的に軽減される。ここで、外側床材上に配置されたデッキ材の上面は、室内側床材の上面と同じ位置に設定されるため、外側床材側と室内床材側とで上面のレベルが実質的に同じになり、外側床材側と室内床材側との間の段差すらも解消される。
【発明の効果】
【００２３】
以上、説明したように、請求項１及び請求項２に記載の本発明に係る外部床構造では、防水性を維持又は向上できると共に、防水壁が室内側床材の上面よりも上方へ大きく突出することを防止又軽減でき、これにより「またぎ」を解消、又は、軽減できる。
【００２６】
請求項３に記載の本発明に係る外部床構造では、防水性を更に維持又は向上できると共に、防水壁が室内側床材の上面よりも上方へ大きく突出することをより効果的に防止又抑制でき、これにより「またぎ」を解消、又は、抑制できる。
【００２７】
請求項４に記載の本発明に係る外部床構造では、防水壁が室内側床材の上面よりも上方へ突出することによる「またぎ」を解消できる。
【００２８】
請求項５に記載の本発明に係る外部床構造では、外側梁部材の外側連結部との連結部分の高さ寸法が、室内側梁部材の梁成寸法より小さくても外側梁部材に外側連結部を連結して、外側梁部材を室内側梁部材に一体的に連結できる。このため、本発明を適用しない建物、（更に言えば、本発明を構成する外側梁部材を用いない建物）に用いられる室内側梁部材を本発明にも適用でき、これにより、部材の共通化を図ることができる。
【００２９】
請求項６に記載の本発明に係る外部床構造では、外側床材側と室内床材側との間の段差も解消でき、室内床材側と外部床材側との間のアクセスが更によくなる。
【発明を実施するための最良の形態】
【００３０】
＜本実施の形態の構成＞
図１には本発明の一実施の形態に係る外部床構造を２階バルコニー１１に適用した鉄骨軸組住宅１０の要部の構成が断面図により示されている。
【００３１】
この図に示されるように、鉄骨軸組住宅１０は鉄鋼等によって形成された室内側梁部材としての床梁１２を備えている。床梁１２は水平方向のうちの一方向（図１の紙面手前方向及びその反対の奥行き方向）に沿って長手とされた長尺平板状のウェブ１４を備えている。
【００３２】
ウェブ１４は幅方向が上下方向（図１の矢印ＵＰ方向及び矢印ＤＯＷＮ方向）に沿っており、その上端（図１の矢印ＵＰ方向側の端部）にはフランジ１６が形成され、下端（図１の矢印ＤＯＷＮ方向側の端部）にはフランジ１８がウェブ１４の長手方向に連続して形成されている。フランジ１６、１８の各々はウェブ１４の厚さ方向に沿って幅方向とされた長尺平板状とされ、各々の幅方向略中央部にてウェブ１４に繋がっている。すなわち、床梁１２は、所謂「Ｈ鋼」を構成している。
【００３３】
床梁１２のウェブ１４よりも室内側のフランジ１６上には、室内側床材としての床材２０が設けられており、床梁１２は床材２０の室外側（図１の矢印ＯＵＴ方向側）の端部とその近傍を下側から支えている。床材２０は、例えば、ＡＬＣ等の気泡コンクリートを平板状に成形することで形成されている。床材２０上には床材２０よりも厚さが充分に薄い平板材を２枚重ねた床板２２が載置されている。床板２２の室外側（図１の矢印ＯＵＴ方向側）の端部にはフラットレベルサッシ２４の下端部がねじ２６によって固定されている。
【００３４】
なお、本実施の形態では、床板２２は平板材を２枚重ねた構成としたが、１枚の平板材で床板２２を構成してもよい。また、フラットレベルサッシ２４を床板２２に固定するための連結部材として本実施の形態ではねじ２６を適用したが、フラットレベルサッシ２４を床板２２に固定するための連結部材がねじ２６に限定されるものではなく、他の様々な手段を適用してもよく、その一例としてファスナを連結部材として適用してもよい。
【００３５】
一方、床梁１２の室外側（図１の矢印ＯＵＴ方向側）には外部梁部材としての床梁２８が配置されている。床梁２８は、水平方向のうち床梁１２の長手方向に対して直交する方向（図１の矢印ＩＮ方向及び矢印ＯＵＴ方向）に沿って長手のウェブ３０を備えている。ウェブ３０はウェブ１４の幅方向と同じ上下方向に沿って幅方向とされた長尺平板状のウェブ３０を備えている。ウェブ３０の上端にはフランジ３２が形成され、下端にはフランジ３４がウェブ３０の長手方向に連続して形成されている。
【００３６】
フランジ３２、３４の各々はウェブ３０の厚さ方向に沿って幅方向とされた長尺平板状とされ、各々の幅方向略中央部にてウェブ３０に繋がっている。すなわち、床梁２８は、床梁１２と同様の「Ｈ鋼」を構成している。しかしながら、図１に示されるように、床梁２８のウェブ３０は、幅寸法（上下方向寸法）が床梁１２のウェブ１４よりも短い。このため、床梁２８の梁成が床梁１２の梁成よりも低い。この床梁２８に対応して床梁１２のウェブ１４には連結部材としてのジョイント３６が設けられている。
【００３７】
ジョイント３６は高さ寸法がウェブ１４の幅寸法以下でウェブ３０の幅寸法よりも大きな室内側連結部としての連結部３８を備えている。連結部３８はフランジ１６とフランジ１８の間に入り込んでボルト等の締結手段や溶接等によってウェブ１４に一体的に接合されている。連結部３８の室外側の端部からは連続して外側連結部としての連結部４０が形成されている。連結部４０は下端が連結部３８の下端と同じ位置にあるが、高さ寸法がウェブ３０の幅寸法（上下方向寸法）よりも短いため上端は連結部３８の上端よりも下方に位置する。このため、ジョイント３６は正面視で略Ｌ字形状となっている。
【００３８】
この連結部４０は床梁２８の室内側の端部からフランジ３２とフランジ３４との間に入り込み、ボルト等の締結手段や溶接等によってウェブ３０に一体的に接合されている。これにより、フランジ３４の下面とフランジ１８の下面とが等しい位置にある状態で床梁２８が床梁１２に一体的に連結されている。
【００３９】
なお、本実施の形態では、連結部材としてのジョイント３６を構成する連結部４０が床梁２８の室内側の端部からフランジ３２とフランジ３４との間に入り込む構成であったが、このようなフランジ３２とフランジ３４との間に入り込む連結部４０を備えないジョイントを連結部材として適用してもよい。
【００４０】
また、フランジ３２とフランジ３４との間には支持アングル４２が設けられている。図３に示されるように、支持アングル４２は固定部４４を備えている。固定部４４は長手方向がウェブ３０の長手方向に沿ったウェブ３０と平行な平板部で、ボルト等の締結手段や溶接等により、ウェブ３０の長手方向両端部よりも内側でウェブ３０に一体的に固定されている。固定部４４の下端部からはウェブ３０とは反対側へ向けて支持部４６が延出されている。支持部４６はフランジ３４、３６に平行な平板状とされている。以上のような構成の床梁２８は、床梁１２の長手方向に沿って所定間隔毎に複数配置されている。しかも、従来の鉄骨軸組住宅にて床梁２８に対応する部材よりも多くの本数の床梁２８が本鉄骨軸組住宅１０では適用されており、床梁１２よりも床梁２８の梁成を低くしたことによる強度低下分を補っている。
【００４１】
一方、図２に示されるように、床梁２８の床梁１２とは反対側の端部の側方には床梁４８が設けられている。床梁４８は床梁１２と同様の構成の所謂「Ｈ鋼」で、床梁１２に対して平行に配置されていると共にジョイント３６を介して床梁２８のウェブ３０が一体的に連結されている。床梁４８のフランジ１６には、断面Ｌ字形状の取付アングル５０が設けられている。取付アングル５０は床梁４８のウェブ１４よりも室内側でボルト５２によってフランジ１６に固定されている。この取付アングル５０には壁下地板５４の下端部がボルト５６により固定されている。壁下地板５４の室内側の面には壁板５７が固定されている。
【００４２】
これに対して、床梁４８のウェブ１４よりも室外側では、床梁４８のフランジ１６には、断面Ｌ字形状の取付アングル５８がボルト６０によって固定されている。この取付アングル５８には、鉄骨軸組住宅１０の１階部分を構成する壁下地板６２の上端部がボルト６４により固定されている。壁下地板６２の室外側の面には壁板６６が固定されている。
【００４３】
なお、本実施の形態では、鉄骨軸組住宅１０の１階部分を構成する壁下地板６２の上端部をボルト６４によって
取付アングル５８に固定した構成であったが、例えば、ボルト６４に代えて壁下地板６２を溶接により取付アングル５８に固定する構成としてもよい。
【００４４】
さらに、取付アングル５８には取付板６８が溶接等により固定されている。この取付板６８には、壁下地板５４や壁板５７に対応した壁下地板７０の下端部がボルト７２により固定されている。さらに、壁下地板７０の室外側には壁板７４が固定されている。
【００４５】
一方、床梁１２の長手方向に所定間隔毎に並べられた床梁２８の間には、外側床材としての床材７６が設けられている。床材７６は、例えば、ＡＬＣ等の気泡コンクリートを平板状に成形することで形成されており、その厚さ寸法は支持部４６の上面からフランジ３２の上面までの上下方向に沿った長さ以下（本実施の形態では、支持部４６の上面からフランジ３２の上面までの上下方向に沿った長さと同じ）に設定されている。
【００４６】
床材７６は、床梁１２の長手方向に沿って互いに隣り合う床梁２８の間に配置されており、この隣り合う床梁２８にそれぞれ設けられた支持アングル４２の支持部４６に床梁１２の長手方向に沿った床材７６の両端がそれぞれ載置され、これにより、床材７６が支持部４６、ひいては、床梁２８に支持されている。
【００４７】
さらに、床材７６上には断熱材７８が配置されている。断熱材７８は室外側へ向けて漸次厚さ寸法が小さくなるように上面が傾斜した板状に形成されており、更に、その上面は防水シート８０により覆われている。断熱材７８の外周部側方の断熱材７８上には防水壁８２が設けられている。
【００４８】
床材７６の室内側では、床梁１２の長手方向に沿って長手で、断面が矩形筒状の支持体８４が床梁１２のフランジ１６に固定されており、この支持体８４に上記のフラットレベルサッシ２４が下側から支持されていると共に、室内側においてはフラットレベルサッシ２４の下側に位置する防水壁８２の上端側が支持体８４に固定されて保持されている。
【００４９】
また、防水シート８０上には複数の支持シャフト８６が適宜に配置されている。支持シャフト８６の上端には、デッキとしてのデッキプレート８８が設けられている。
デッキプレート８８は床梁１２の長手方向に沿って長手とされた細幅板状のプレートが床梁２８の長手方向に複数並べられており、このプレートの上面が水平で且つ床板２２の上面と同じ位置で支持シャフト８６に直接又は間接的に支持されている。
【００５０】
＜本実施の形態の作用、効果＞
次に、本実施の形態の作用並びに効果について説明する。
【００５１】
以上の構成の本実施の形態を適用した鉄骨軸組住宅１０では、床梁２８を構成するフランジ３２の上面が床梁１２を構成するフランジ１６の上面よりも低い位置に設定される。しかも、床梁２８の梁成は床梁１２の梁成よりも低い。そのうえ、床材７６は床梁２８を構成するフランジ３２上にではなく、床梁２８を構成するウェブ１４の側方に配置される。更には、床材７６の厚さ寸法が支持部４６の上面からフランジ３２の上面までの上下方向に沿った長さ以下に設定されていることで、支持部４６に支持された床材７６の上面は、床梁２８のフランジ３２の上面と同じ位置か、フランジ３２の上面よりも低くなる。
【００５２】
以上のことから、床材７６の上面の位置は、床梁１２のフランジ１６上に配置された床材２０の上面よりも充分低くなる。このため、床材７６上で断熱材７８の周囲に設けられた防水壁８２の上端部の位置を床材２０の上面の位置以下に設定しても、防水壁８２の高さ寸法を充分に確保できる。これにより、防水シート８０上を室内側に水が流れても、防水壁８２で水を遮り、室内側に水が浸入することを確実に防止でき、しかも、防水シート８０上を流れた水の床板２２上へのオーバーフローを防止又は効果的に抑制できる。
【００５３】
また、このような極めて有効な浸水防止の効果を得られるだけではなく、上記のように、防水壁８２の上端部の位置が床材２０の上面の位置以下に設定されることは、すなわち、防水壁８２の上端部が床材２０の上面よりも上方へ突出しないことである。
【００５４】
このため、防水壁８２を設けたにも関わらず、フラットレベルサッシ２４の内周下部を床板２２よりも上側に位置させなくてもよい。しかも、防水シート８０上で支持シャフト８６に支持されたデッキプレート８８の上面が、実質的な２階バルコニー１１での床面となる。上記のように、デッキプレート８８は支持シャフト８６で支持させて防水シート８０から離間させることで、その上面を床板２２の上面と同じ位置に設定される。
【００５５】
以上のことから、デッキプレート８８の上面、フラットレベルサッシ２４の内周下部、及び床板２２の上面はフラットな状態となり、所謂「またぎ」や「段差」が解消される。これにより、床板２２側とデッキプレート８８側との間のアクセスがよくなり、容易に床板２２とデッキプレート８８との間を行き来できる。
【００５６】
一方で、床梁１２の梁成よりも床梁２８の梁成の方が低い。しかしながら、床梁２８を床梁１２に連結するためのジョイント３６は上記のように正面視略Ｌ字形状で、各連結部３８、４０の高さ寸法が床梁１２や床梁２８のフランジ３２とフランジ１８との間に入り込めるように設定されている。このため、床梁１２に特殊な加工を施したり、特殊な構造の鋼材を床梁１２に用いたりしなくても、床梁１２を構成するウェブ１４の下面と床梁２８を構成するウェブ３０の下面を等位置の状態で床梁１２に床梁２８を一体的に連結できる。
【００５７】
しかも、床梁１２の梁成よりも床梁２８の梁成の方が低いため、床梁２８を構成するフランジ３２の上面の位置を、床梁１２を構成するフランジ１６の上面よりも充分に下げるにあたり、床梁１２を構成するフランジ１８の下面に対して床梁２８を構成するフランジ３２の下面の位置を下げなくてもよい。これにより、床梁２８よりも下側の鉄骨軸組住宅１０の１階部分の構造は基本的に従来の構造を適用できる。また、このような床梁１２を所謂スチールハウスにも適用できる。
【００５８】
なお、本実施の形態では、「Ｈ鋼」にて形成された床梁１２、２８を室内側梁部材及び外側梁部材として適用した構成であったが、室内側梁部材及び外側梁部材の具体的な構造や材質が、このような「Ｈ鋼」に限定されるものではなく、断面形状が他の形状の鋼材や、鋼材以外、例えば、木材等で室内側梁部材及び外側梁部材を構成してもよい。
【００５９】
なお、本実施の形態は、鉄骨軸組住宅１０の２階バルコニー１１に本発明を適用した構成であった。しかしながら、本発明が上記の構成に限定されるものではなく、建物一般の外部の床構造に適用できる。
【図面の簡単な説明】
【００６０】
【図１】本発明の一実施の形態に係る外部床構造を２階バルコニーに適用した鉄骨軸組住宅の要部を拡大した断面図である。
【図２】２階バルコニーの軒先側を拡大した断面図である。
【図３】図１の３−３線に沿った拡大断面図である。
【符号の説明】
【００６１】
１２    床梁（室内側梁部材）
２０    床材（室内側床材）
２８    床梁（外側梁部材）
３６    ジョイント（連結部材）
３８    連結部（室内側連結部）
４０    連結部（外側連結部）
７６    床材（外側床材）
８２    防水壁
８８    デッキプレート（デッキ）
【図１】
0004828209.tif 000002
【図２】
0004828209.tif 000003
【図３】
0004828209.tif 000004